(57)【要約】【課題】予約印刷ジョブの秘匿、および、秘匿した予約印刷ジョブの確認、を容易にする。【解決手段】印刷ジョブ予約機能がある画像形成装置において、予約印刷ジョブの表示是非を含む管理情報を生成する予約表示制御手段１；表示是の予約印刷ジョブ特定情報を表示し、表示非の予約印刷ジョブ特定情報の表示は保留し存在は表示する予約表示手段１，２０；表示する予約印刷ジョブの１つを指定する手段８４〜８６；指定した予約印刷ジョブの情報の表示を指示する手段９５，８８，８９；指定された予約印刷ジョブが表示非であると表示指示の適否を照合判定する手段１；および、指定された予約印刷ジョブが表示是であるとその情報を表示し表示非であると照合判定結果が適のときのみその情報を表示する情報表示手段１，２０；を備えることを特徴とする。予約印刷ジョブの表示情報は、管理情報，予約印刷画像又は印刷設定情報である。【選択図】  図１４
2004202846.tif 000002
【特許請求の範囲】
【請求項１】
画像印刷手段と、画像記憶手段と、印刷設定情報を指定する入力手段と、予約指定手段と、該入力手段および予約指定手段により指定された予約印刷ジョブを保持し、先行の印刷ジョブを前記画像印刷手段が終了すると、予約印刷ジョブの実行を前記画像印刷手段に指示する印刷指示制御手段と、を備える画像形成装置において、
予約印刷ジョブの表示是非を含む管理情報を生成する予約表示制御手段；
表示是の予約印刷ジョブを特定する情報をディスプレイに表示し、表示非の予約印刷ジョブを特定する情報の表示は保留し存在は表示する、予約表示手段；
該予約表示手段が表示する予約印刷ジョブの１つを指定する手段；
該指定手段が指定した予約印刷ジョブの情報の表示を指示する手段；
前記指定手段が指定し該表示指示手段が情報の表示を指示した予約印刷ジョブが表示非であると表示指示の適否を照合判定する手段；および、
前記指定手段が指定し前記表示指示手段が情報の表示を指示した予約印刷ジョブが、表示是であるとその情報をディスプレイに表示し、表示非であると前記照合判定手段の判定結果が適のときのみその情報をディスプレイに表示する情報表示手段；
を備えることを特徴とする画像形成装置。
【請求項２】
前記表示指示手段は、予約印刷ジョブの管理情報の表示を指示する管理情報表示指示手段を含み；前記情報表示手段は、該管理情報をディスプレイに表示する；請求項１に記載の画像形成装置。
【請求項３】
前記表示指示手段は、予約印刷ジョブの印刷対象画像の表示を指示する画像表示指示手段を含み；前記情報表示手段は、該印刷対象画像をディスプレイに表示する；請求項１又は２に記載の画像形成装置。
【請求項４】
前記表示指示手段は、予約印刷ジョブの印刷設定情報の表示を指示する設定情報表示指示手段を含み；前記情報表示手段は、該印刷設定情報をディスプレイに表示する；請求項１乃至３のいずれかに記載の画像形成装置。
【請求項５】
前記情報表示手段は、それが表示する印刷設定情報に対する、前記印刷設定情報を指定する入力手段の変更指定に応じて、予約印刷ジョブの印刷設定情報を変更する；請求項４に記載の画像形成装置。
【請求項６】
前記情報表示手段は、表示非である予約印刷ジョブの情報をディスプレイに表示してから設定時間が経過すると該表示を消去する、請求項１乃至５のいずれかに記載の画像形成装置。
【請求項７】
前記情報表示手段は、表示非である予約印刷ジョブの印刷設定情報をディスプレイに表示し設定時限のタイマーをスタートし、前記印刷設定情報を指定する入力手段から入力があると該タイマーを再スタートし、該タイマーがタイムオーバすると、印刷設定情報の表示を消去する、請求項５に記載の画像形成装置。
【請求項８】
前記予約表示制御手段は、前記入力手段と予約指定手段により予約印刷ジョブを指定するときにユーザが入力した識別情報を表示非の管理情報として該予約印刷ジョブに付加する；請求項１に記載の画像形成装置。
【請求項９】
表示非の管理情報は、前記入力手段と予約指定手段により予約印刷ジョブを指定するときにユーザが入力した機密印字指定を含む；請求項１に記載の画像形成装置。
【請求項１０】
表示非の管理情報は、予約印刷ジョブの画像に付加されている機密ユーザコードを含む、請求項１に記載の画像形成装置。
【請求項１１】
画像印刷手段と、画像記憶手段と、印刷設定情報を指定する入力手段と、予約指定手段と、該入力手段および予約指定手段により指定された予約印刷ジョブを保持し、先行の印刷ジョブを前記画像印刷手段が終了すると、予約印刷ジョブの実行を前記画像印刷手段に指示する印刷指示制御手段と、を備える画像形成装置、に用いる予約表示装置であって：
予約印刷ジョブの表示是非を含む管理情報を生成する予約表示制御手段；
表示是の予約印刷ジョブを特定する情報をディスプレイに表示し、表示非の予約印刷ジョブを特定する情報の表示は保留し存在は表示する、予約表示手段；
該予約表示手段が表示する予約印刷ジョブの１つを指定する手段；
該指定手段が指定した予約印刷ジョブの情報の表示を指示する手段；
前記指定手段が指定し該表示指示手段が情報の表示を指示した予約印刷ジョブが表示非であると表示指示の適否を照合判定する手段；および、
前記指定手段が指定し前記表示指示手段が情報の表示を指示した予約印刷ジョブが、表示是であるとその情報をディスプレイに表示し、表示非であると前記照合判定手段の判定結果が適のときのみその情報をディスプレイに表示する情報表示手段；
を備えることを特徴とする予約表示装置。
【請求項１２】
前記表示指示手段は、予約印刷ジョブの管理情報の表示を指示する管理情報表示指示手段を含み；前記情報表示手段は、該管理情報をディスプレイに表示する；請求項１１に記載の予約表示装置。
【請求項１３】
前記表示指示手段は、予約印刷ジョブの印刷対象画像の表示を指示する画像表示指示手段を含み；前記情報表示手段は、該印刷対象画像をディスプレイに表示する；請求項１１又は１２に記載の予約表示装置。
【請求項１４】
前記表示指示手段は、予約印刷ジョブの印刷設定情報の表示を指示する設定情報表示指示手段を含み；前記情報表示手段は、該印刷設定情報をディスプレイに表示する；請求項１１乃至１３のいずれかに記載の予約表示装置。
【請求項１５】
前記情報表示手段は、それが表示する印刷設定情報に対する、前記印刷設定情報を指定する入力手段の変更指定に応じて、予約印刷ジョブの印刷設定情報を変更する；請求項１４に記載の予約表示装置。
【請求項１６】
前記情報表示手段は、表示非である予約印刷ジョブの情報をディスプレイに表示してから設定時間が経過すると該表示を消去する、請求項１１乃至１５のいずれかに記載の画像形成装置。
【請求項１７】
前記情報表示手段は、表示非である予約印刷ジョブの印刷設定情報をディスプレイに表示し設定時限のタイマーをスタートし、前記印刷設定情報を指定する入力手段から入力があると該タイマーを再スタートし、該タイマーがタイムオーバすると、印刷設定情報の表示を消去する、請求項１５に記載の予約表示装置。
【請求項１８】
前記予約表示制御手段は、前記入力手段と予約指定手段により予約印刷ジョブを指定するときにユーザが入力した識別情報を表示非の管理情報として該予約印刷ジョブに付加する；請求項１１に記載の予約表示装置。
【請求項１９】
表示非の管理情報は、前記入力手段と予約指定手段により予約印刷ジョブを指定するときにユーザが入力した機密印字指定を含む；請求項１１に記載の予約表示装置。
【請求項２０】
表示非の管理情報は、予約印刷ジョブの画像に付加されている機密ユーザコードを含む、請求項１１に記載の予約表示装置。
【発明の詳細な説明】
【０００１】
【発明の属する技術分野】
本発明は、予約印刷機能がある画像形成装置およびそれに用いる予約表示装置に関し、例えば、複写機，プリンタおよびファクシミリに用いることができ、予約表示装置はパソコンにも用いることができる。
【０００２】
【従来技術】
複写機，プリンタおよびファクシミリのいずれにおいても、それに画像処理装置および画像メモリを備えるか、或いはパソコンを接続して、スキャナ，デジタルカメラ等の撮像装置が読み取った画像，パソコンが保持する文章やイメージ（何れも以下においては「画像」との表現に含まれる、とする），ファクシミリ受信した画像等をプリントアウトする高機能化が進んでおり、大量の画像を蓄積して、必要に応じて、編集，プリントアウトする蓄積機能を備える画像形成装置あるいは画像処理システムもしくは文書管理システムが増えている。これにともなって、１つの印刷ジョブの実行中に、他の印刷ジョブを予約する予約機能の利用も増えている。蓄積画像のプリントアウトおよび印刷予約機能のいずれにおいても、機密画像の機密保持が問題になる。
【０００３】
【特許文献１】特開２００１−２９２３２９号公報は、ファクシミリ受信した画像，パソコンの画像あるいはスキャナ読み取り画像をハードディスクに割り付けたメールボックスに蓄積し、ボックスＮｏ．が入力されると該ボックスＮｏ．にある、機密度が低い画像の一覧を操作部に表示し、ユーザが機密文書キーを選択してパスワードを入力し、照合が適であると全ての機密文書名を追加表示し、出力指定があった文書をプリントアウトする、画像入出力制御（図７）を開示している。
【０００４】
【特許文献２】特開２００１−１０５６９０号公報は、コンピュータのドキュメントを印刷する印刷ジョブのヘッダをプリンタコントローラで解析して機密保持を要するドキュメントであるとそれにＩＤと暗証コードを割り当てて印刷ジョブとともに記憶装置に格納し、該ＩＤと暗証コードの入力があった場合のみに、該印刷ジョブをプリンタに与える印刷システムを開示している。
【０００５】
【特許文献３】特開平８−３１４６５９号公報は、キーワードテーブルおよびパスワードテーブルを備えて、それらに登録された部門名およびパスワードが入力された場合のみ、部門名に対応するスプール内の画像のプリントアウトが可能になる、コンピュータ，プリントサーバおよびプリンタの組み合せが開示されている。
【０００６】
【発明が解決しようとする課題】
上記特許文献１〜３は何れも、画像の蓄積とプリントアウトを処理するシステムであり、印刷予約における印刷予約情報の秘匿に関する技術の提示は無い。現在のプリンタ，複写機，ファクシミリ等の画像形成装置は、予約機能を有していたりネットワーク接続されていたりすることで、複数のオペレータによって共同使用されるケースがあるのを前提とされている事が多い。その場合は、印刷ジョブの込み具合や印刷できる時間帯を知るための、印刷順などの情報を表示する予約一覧機能が役立つ。また、予約の内容を変更したり、予約を取り消したりする場合の予約ジョブの特定のためにも、予約一覧機能が役立つ。しかし、そのような画像形成装置で機密文書の印刷を行う際、印刷自体や予約一覧上に表示される情報自体が簡単に他者に知られてしまう。
【０００７】
本発明は、予約印刷ジョブの秘匿、および、秘匿した予約印刷ジョブの確認、を容易にすることを目的とする。
【０００８】
【課題を解決するための手段】
（１）画像印刷手段(100)と、画像記憶手段(MEM/HDD)と、印刷設定情報を指定する入力手段(20/PC)と、予約指定手段(20/PC:図6の80gの81）と、該入力手段および予約指定手段により指定された予約印刷ジョブを保持し、先行の印刷ジョブを前記画像印刷手段が終了すると、予約印刷ジョブの実行を前記画像印刷手段(100)に指示する印刷指示制御手段(1)と、を備える画像形成装置において、
予約印刷ジョブの表示是非を含む管理情報を生成する予約表示制御手段(1:図8)；
表示是の予約印刷ジョブを特定する情報をディスプレイ(79)に表示し、表示非の予約印刷ジョブを特定する情報の表示は保留し存在は表示する、予約表示手段(1,20:図16の80i)；
該予約表示手段が表示する予約印刷ジョブの１つを指定する手段(20:図16の80iの84〜86)；
該指定手段(84〜86)が指定した予約印刷ジョブの情報の表示を指示する手段(20:図16の80iの95,88,89)；
前記指定手段(84〜86)が指定し該表示指示手段(95,88,89)が情報の表示を指示した予約印刷ジョブが表示非であると表示指示の適否を照合判定する手段(1:図12の101〜105,図13の111〜115,図14の131〜135,図17の80jの90,91)；および、
前記指定手段(84〜86)が指定し前記表示指示手段(95,88,89)が情報の表示を指示した予約印刷ジョブが、表示是であるとその情報をディスプレイ(79)に表示し、表示非であると前記照合判定手段の判定結果が適のときのみその情報をディスプレイ(79)に表示する情報表示手段(20,1:図12の101〜106,図13の111〜116,図14の131〜136)；
を備えることを特徴とする画像形成装置。
【０００９】
なお、理解を容易にするためにカッコ内には、図面に示し後述する実施例の対応要素または対応事項の記号もしくは相当事項を、例示として参考までに付記した。以下も同様である。
【００１０】
これによれば、予約表示制御手段(1:図8)が表示非とした管理情報を生成した予約印刷ジョブを特定する情報は、ディスプレイ(79)に表示されないので、予約印刷ジョブを特定する情報の秘匿が可能である。しかし、その存在は表示されるので、該予約印刷ジョブを予約したものは、指定手段(84〜86)でそれを指定して表示指示手段(95,88,89)でその情報の表示を指示できる。この指示があると、照合判定手段(1)がこの表示指示の適否を判定する。情報表示手段(20,1)が、表示が指示された予約印刷ジョブが表示是であるとその情報をディスプレイ(79)に表示し、表示非であると照合判定手段の判定結果が適のときのみその情報をディスプレイ(79)に表示する。
【００１１】
したがって、予約者が秘匿の予約印刷ジョブを一覧上に表示する場合、一番知りたい情報は印刷ジョブの実行順であると考えられるが、秘匿の予約印刷ジョブが予約者のものであるか否かを予約者のみが確認できる。すなわち、表示非とした予約印刷ジョブでも、その予約者は個別にその内容を再確認して、予約順番のどのあたりになるかを再確認したり、必要に応じて印刷設定情報を変更するとか予約を取消すなどの変更を行うことができる。予約印刷ジョブの秘匿、および、秘匿した予約印刷ジョブの確認、が容易になる。
【００１２】
【発明の実施の形態】
（２）前記表示指示手段(95,88,89)は、予約印刷ジョブの管理情報の表示を指示する管理情報表示指示手段(95)を含み；前記情報表示手段(20,1)は、該管理情報をディスプレイ(79)に表示する(図12)；上記（１）に記載の画像形成装置。
【００１３】
これによれば、予約者が指定手段(84〜86)および管理情報表示指示手段(95)で情報の表示が無いが存在表示がある予約印刷ジョブを指定し表示を指示したときに、指定した存在表示の予約印刷ジョブの管理情報がディスプレイに表示される。これによって該予約者は、それが自己が予約した印刷ジョブであることがわかり、管理情報の内容を再確認することができる。
【００１４】
（３）前記表示指示手段(95,88,89)は、予約印刷ジョブの印刷対象画像の表示を指示する画像表示指示手段(図16の80iの88)を含み；前記情報表示手段(20,1)は、該印刷対象画像(図18)をディスプレイ(79)に表示する(図13の111〜116）；上記（１）又は（２）に記載の画像形成装置。
【００１５】
これによれば、予約者が指定手段(84〜86)および画像表示指示手段(88)で情報の表示が無いが存在表示がある予約印刷ジョブを指定し表示を指示したときに、指定した存在表示の予約印刷ジョブの印刷対象画像(図18)がディスプレイ(79)に表示される。これによって予約者は、それが自己が予約した印刷ジョブであることがわかる。
【００１６】
(４）前記表示指示手段(95,88,89)は、予約印刷ジョブの印刷設定情報(図19)の表示を指示する設定情報表示指示手段(図16の80iの89)を含み；前記情報表示手段(20,1)は、該印刷設定情報(図19)をディスプレイ(79)に表示する(図14の131〜136）；上記（１）又は（２）に記載の画像形成装置。
【００１７】
これによれば、予約者が指定手段(84〜86)および設定情報表示指示手段(89)で情報の表示が無いが存在表示がある予約印刷ジョブを指定し表示を指示したときに、指定した存在表示の予約印刷ジョブの印刷設定情報(図19)がディスプレイ(79)に表示される。これによって予約者は、それが自己が予約した印刷ジョブであるか判断できる。
【００１８】
（５）前記情報表示手段(20,1)は、それが表示する印刷設定情報(図19)に対する、前記印刷設定情報を指定する入力手段(20/PC)の変更指定に応じて、予約印刷ジョブの印刷設定情報を変更する；上記（４）に記載の画像形成装置。これによれば予約者は、予約済の印刷ジョブの印刷設定情報を簡易に変更できる。
【００１９】
（６）前記情報表示手段(20,1)は、表示非である予約印刷ジョブの情報をディスプレイ(79)に表示してから設定時間が経過すると該表示を消去する(図12の107-108a-109-108b,図13の117〜122,図14の137〜150)、上記（１）乃至（５）のいずれかに記載の画像形成装置。
【００２０】
これによれば、予約者が秘匿の予約印刷ジョブの情報を非表示に戻すのを忘れた場合でも、自動的に非表示に戻される。予約印刷ジョブの情報の秘匿性が高い。
【００２１】
（７）前記情報表示手段(20,1)は、表示非である予約印刷ジョブの印刷設定情報をディスプレイ(79)に表示し設定時限(Th)のタイマーをスタートし、前記印刷設定情報を指定する入力手段(20/PC)から入力があると該タイマーを再スタートし、該タイマーがタイムオーバすると、印刷設定情報の表示を消去する、上記（５）に記載の画像形成装置。
【００２２】
これによれば、予約者が秘匿の予約印刷ジョブの印刷設定情報を非表示に戻すのを忘れた場合でも、自動的に非表示に戻される。予約印刷ジョブの情報の秘匿性が高い。しかも、印刷設定情報を指定する入力手段(20/PC)から入力があると該タイマーを再スタートするので、予約者が変更入力作業中に印刷設定情報が非表示になる可能性は低く、予約者の作業性は損なわれない。
【００２３】
（８）前記予約表示制御手段(1:図8,7)は、前記入力手段(20/PC)と予約指定手段(20/PC:図6の80gの81）により予約印刷ジョブを指定するときにユーザが入力した識別情報(パスワード)を表示非の管理情報（付加パスワード）として該予約印刷ジョブに付加する(図8の64)；上記（１）に記載の画像形成装置。
【００２４】
印刷ジョブを予約するときにユーザ（予約者）がパスワードの付加を行うと、予約ジョブが表示非となる。したがってユーザは印刷ジョブごとに自己の判断で予約印刷ジョブの秘匿を設定することができる。
【００２５】
（９）表示非の管理情報は、前記入力手段(20/PC)と予約指定手段(20/PC:図6の80gの81）により予約印刷ジョブを指定するときにユーザが入力した機密印字指定(機密管理印字，マル秘印字)を含む；上記（１）に記載の画像形成装置。
【００２６】
機密印字指定(機密管理印字，マル秘印字)を付加する印刷は、画像自身の秘匿性が要求されているものである。この場合には自動的に、予約印刷ジョブの情報も秘匿されるので、他者には機密画像の印刷予約があることは分かりにくく、機密画像の秘匿に役立つ。
【００２７】
（１０）表示非の管理情報は、予約印刷ジョブの画像に付加されている機密ユーザコードを含む、上記（１）に記載の画像形成装置。取り扱うことができる者或いは部門を限定する機密ユーザコードが付加された画像も、画像自身の秘匿性が要求されているものである。この場合には自動的に、予約印刷ジョブの情報も秘匿されるので、他者には機密画像の印刷予約があることは分かりにくく、機密画像の秘匿に役立つ。
【００２８】
（１１）画像印刷手段(100)と、画像記憶手段(MEM/HDD)と、印刷設定情報を指定する入力手段(20/PC)と、予約指定手段(20/PC:図6の80gの81）と、該入力手段および予約指定手段により指定された予約印刷ジョブを保持し、先行の印刷ジョブを前記画像印刷手段が終了すると、予約印刷ジョブの実行を前記画像印刷手段(100)に指示する印刷指示制御手段(1)と、を備える画像形成装置、に用いる予約表示装置であって：
予約印刷ジョブの表示是非を含む管理情報を生成する予約表示制御手段(1:図8)；
表示是の予約印刷ジョブを特定する情報をディスプレイ(79)に表示し、表示非の予約印刷ジョブを特定する情報の表示は保留し存在は表示する、予約表示手段(1,20:図16の80i)；
該予約表示手段が表示する予約印刷ジョブの１つを指定する手段(20:図16の80iの84〜86)；
該指定手段(84〜86)が指定した予約印刷ジョブの情報の表示を指示する手段(20:図16の80iの95,88,89)；
前記指定手段(84〜86)が指定し該表示指示手段(95,88,89)が情報の表示を指示した予約印刷ジョブが表示非であると表示指示の適否を照合判定する手段(1:図12の101〜105,図13の111〜115,図14の131〜135,図17の80jの90,91)；および、
前記指定手段(84〜86)が指定し前記表示指示手段(95,88,89)が情報の表示を指示した予約印刷ジョブが、表示是であるとその情報をディスプレイ(79)に表示し、表示非であると前記照合判定手段の判定結果が適のときのみその情報をディスプレイ(79)に表示する情報表示手段(20,1:図12の101〜106,図13の111〜116,図14の131〜136)；
を備えることを特徴とする予約表示装置。
【００２９】
これによれば、予約表示制御手段(1:図8)が、表示非とした管理情報を生成した予約印刷ジョブを特定する情報は、ディスプレイ(79)に表示されないので、予約印刷ジョブを特定する情報の秘匿が可能である。しかし、その存在は表示されるので、該予約印刷ジョブを予約したものは、指定手段(84〜86)でそれを指定して表示指示手段(95,88,89)でその情報の表示を指示できる。この指示があると、照合判定手段(1)がこの表示指示の適否を判定する。情報表示手段(20,1)が、表示が指示された予約印刷ジョブが表示是であるとその情報をディスプレイ(79)に表示し、表示非であると照合判定手段の判定結果が適のときのみその情報をディスプレイ(79)に表示する。
【００３０】
したがって、予約者が秘匿の予約印刷ジョブを一覧上に表示する場合、一番知りたい情報は印刷ジョブの実行順であると考えられるが、秘匿の予約印刷ジョブが予約者のものであるか否かを予約者のみが確認できる。すなわち、表示非とした予約印刷ジョブでも、その予約者は個別にその内容を再確認して、予約順番のどのあたりになるかを再確認したり、必要に応じて印刷設定情報を変更するとか予約を取消すなどの変更を行うことができる。予約印刷ジョブの秘匿、および、秘匿した予約印刷ジョブの確認、が容易になる。
【００３１】
（１２）前記表示指示手段(95,88,89)は、予約印刷ジョブの管理情報の表示を指示する管理情報表示指示手段(95)を含み；前記情報表示手段(20,1)は、該管理情報をディスプレイ(79)に表示する(図12)；上記（１１）に記載の予約表示装置。
【００３２】
これによれば、予約者が指定手段(84〜86)および管理情報表示指示手段(95)で情報の表示が無いが存在表示がある予約印刷ジョブを指定し表示を指示したときに、指定した存在表示の予約印刷ジョブの管理情報がディスプレイに表示される。これによって該予約者は、それが自己が予約した印刷ジョブであることがわかり、管理情報の内容を再確認することができる。
【００３３】
（１３）前記表示指示手段(95,88,89)は、予約印刷ジョブの印刷対象画像の表示を指示する画像表示指示手段(図16の80iの88)を含み；前記情報表示手段(20,1)は、該印刷対象画像(図18)をディスプレイ(79)に表示する(図13の111〜116）；上記（１１）又は（１２）に記載の予約表示装置。
【００３４】
これによれば、予約者が指定手段(84〜86)および画像表示指示手段(88)で情報の表示が無いが存在表示がある予約印刷ジョブを指定し表示を指示したときに、指定した存在表示の予約印刷ジョブの印刷対象画像(図18)がディスプレイ(79)に表示される。これによって予約者は、それが自己が予約した印刷ジョブであることがわかる。
【００３５】
(１４）前記表示指示手段(95,88,89)は、予約印刷ジョブの印刷設定情報(図19)の表示を指示する設定情報表示指示手段(図16の80iの89)を含み；前記情報表示手段(20,1)は、該印刷設定情報(図19)をディスプレイ(79)に表示する(図14の131〜136）；上記（１１）又は（１２）に記載の予約表示装置。
【００３６】
これによれば、予約者が指定手段(84〜86)および設定情報表示指示手段(89)で情報の表示が無いが存在表示がある予約印刷ジョブを指定し表示を指示したときに、指定した存在表示の予約印刷ジョブの印刷設定情報(図19)がディスプレイ(79)に表示される。これによって予約者は、それが自己が予約した印刷ジョブであるか判断できる。
【００３７】
（１５）前記情報表示手段(20,1)は、それが表示する印刷設定情報(図19)に対する、前記印刷設定情報を指定する入力手段(20/PC)の変更指定に応じて、予約印刷ジョブの印刷設定情報を変更する；上記（１４）に記載の予約表示装置。これによれば予約者は、予約済の印刷ジョブの印刷設定情報を簡易に変更できる。
【００３８】
（１６）前記情報表示手段(20,1)は、表示非である予約印刷ジョブの情報をディスプレイ(79)に表示してから設定時間が経過すると該表示を消去する(図12の107-108a-109-108b,図13の117〜122,図14の137〜150)、上記（１１）乃至（１５）のいずれかに記載の予約表示装置。
【００３９】
これによれば、予約者が秘匿の予約印刷ジョブの情報を非表示に戻すのを忘れた場合でも、自動的に非表示に戻される。予約印刷ジョブの情報の秘匿性が高い。
【００４０】
（１７）前記情報表示手段(20,1)は、表示非である予約印刷ジョブの印刷設定情報をディスプレイ(79)に表示し設定時限(Th)のタイマーをスタートし、前記印刷設定情報を指定する入力手段(20/PC)から入力があると該タイマーを再スタートし、該タイマーがタイムオーバすると、印刷設定情報の表示を消去する、上記（１５）に記載の予約表示装置。
【００４１】
これによれば、予約者が秘匿の予約印刷ジョブの印刷設定情報を非表示に戻すのを忘れた場合でも、自動的に非表示に戻される。予約印刷ジョブの情報の秘匿性が高い。しかも、印刷設定情報を指定する入力手段(20/PC)から入力があると該タイマーを再スタートするので、予約者が変更入力作業中に印刷設定情報が非表示になる可能性は低く、予約者の作業性は損なわれない。
【００４２】
（１８）前記予約表示制御手段(1:図8,7)は、前記入力手段(20/PC)と予約指定手段(20/PC:図6の80gの81）により予約印刷ジョブを指定するときにユーザが入力した識別情報(パスワード)を表示非の管理情報（付加パスワード）として該予約印刷ジョブに付加する(図8の64)；上記（１１）に記載の予約表示装置。
【００４３】
印刷ジョブを予約するときにユーザ（予約者）がパスワードの付加を行うと、予約ジョブが表示非となる。したがってユーザは印刷ジョブごとに自己の判断で予約印刷ジョブの秘匿を設定することができる。
【００４４】
（１９）表示非の管理情報は、前記入力手段(20/PC)と予約指定手段(20/PC:図6の80gの81）により予約印刷ジョブを指定するときにユーザが入力した機密印字指定(機密管理印字，マル秘印字)を含む；上記（１）に記載の予約表示装置。
【００４５】
機密印字指定(機密管理印字，マル秘印字)を付加する印刷は、画像自身の秘匿性が要求されているものである。この場合には自動的に、予約印刷ジョブの情報も秘匿されるので、他者には機密画像の印刷予約があることは分かりにくく、機密画像の秘匿に役立つ。
【００４６】
（２０）表示非の管理情報は、予約印刷ジョブの画像に付加されている機密ユーザコードを含む、上記（１１）に記載の予約表示装置。取り扱うことができる者或いは部門を限定する機密ユーザコードが付加された画像も、画像自身の秘匿性が要求されているものである。この場合には自動的に、予約印刷ジョブの情報も秘匿されるので、他者には機密画像の印刷予約があることは分かりにくく、機密画像の秘匿に役立つ。
【００４７】
本発明の他の目的および特徴は、図面を参照した以下の実施例の説明により明らかになろう。
【００４８】
【実施例】
図１に、本発明の一実施例の複合機能フルカラーデジタル複写機の外観を示す。このフルカラー複写機は、大略で、自動原稿送り装置（ＡＤＦ）３０と、操作ボード２０と、カラースキャナ１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。
【００４９】
機内の画像データ処理装置ＡＣＰ（図３）には、パソコンＰＣが接続したＬＡＮ（Local Area Network）が接続されており、ファクシミリコントロールユニットＦＣＵ（図３）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００５０】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００５１】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００５２】
また、レーザプリンタ１００は、上記トナ−像形成ユニットのほか、レーザ走査によるレーザ露光ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００５３】
レーザ露光ユニット１０２は、レーザ発光器４１Ｍ，４１Ｃ，４１Ｙ，４１Ｋ、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。
【００５４】
図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００５５】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００５６】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００５７】
感光体ユニット１１０Ｙにおいて、交流電圧が印加された帯電ローラにより一様帯電された感光体ドラム１１１Ｙの表面に、レーザ露光ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００５８】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００５９】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００６０】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００６１】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００６２】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００６３】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００６４】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００６５】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００６６】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００６７】
図３に、図１に示す複写機の画像処理系統のシステム構成を示す。このシステムでは、読取ユニット１１と画像データ出力Ｉ／Ｆ(Interface：インターフェイス）１２でなるカラー原稿スキャナ１２が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ(Image Processing Processor；以下では単にＩＰＰと記述）から、書込みＩ／Ｆ１３４に記録画像データを受けて、作像ユニット１３５でプリントアウトする。作像ユニット１３５は、図２に示すものである。
【００６８】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュール（以下では単にＭＥＭと記述），不揮発メモリであるハードディスク装置ＨＤＤ（以下では単にＨＤＤと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００６９】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤで光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。
【００７０】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１３１とＡＣＰの全体制御を司るシステムコントローラ１との間の通信をおこなう。また、ＲＡＭ１３２はプロセスコントローラ１３１のワークエリアとして使用され、ＲＯＭ１３３はプロセスコントローラ１３１の動作プログラム等を記憶している。
【００７１】
画像メモリアクセス制御ＩＭＡＣ（以下では単にＩＭＡＣと記述）は、ＭＥＭおよびＨＤＤに対する画像データおよび制御データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００７２】
操作ボード２０は、ＡＣＰがおこなうべき処理を指示する。たとえば、処理の種類（複写、ファクシミリ送信、画像読込、プリント等）および処理の枚数等を入力する。これにより、画像データ制御情報の入力をおこなうことができる。
【００７３】
スキャナ１０の読取ユニット１１より読み取った画像データは、スキャナ１０のＳＢＵでシェーディング補正２１０を施してから、ＩＰＰで、スキャナガンマ補正，フィルタ処理などの、読取り歪を補正する画像処理を施してから、ＭＥＭ又はＨＤＤに蓄積する。ＭＥＭ又はＨＤＤの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００７４】
ＩＭＡＣは、システムコントローラ１の制御に基づいて、画像データとＭＥＭ又はＨＤＤのアクセス制御，ＬＡＮ上に接続した図示しないパソコンＰＣ（以下では単にＰＣと表記）のプリント用データの展開，ＭＥＭおよびＨＤＤの有効活用のための画像データの圧縮／伸張をおこなう。
【００７５】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００７６】
画像データの流れにおいて、パラレルバスＰｂおよびＣＤＩＣでのバス制御により、デジタル複合機の機能を実現する。ファクシミリ送信は、読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００７７】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００７８】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００７９】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００８０】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ
７、パラレルバスＰｂを経由して送られる。
【００８１】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭ又はＨＤＤに格納されることになる。
【００８２】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ
８を介してプリント出力要求データを受け取る。
【００８３】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ(Universal Serial Bus)、１２８４または１３９４等の規格のインターフェースに対応する。
【００８４】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００８５】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００８６】
システムコントローラ１と、ＭＥＭ，ＨＤＤおよび各種バスとのデータ送受信は、ＩＭＡＣを経由しておこなわれる。ＭＥＭおよびＨＤＤを使用するジョブはＡＣＰ全体の中で一元管理される。
【００８７】
図４に、操作ボード２０の回路ブロックを示す。操作ボード２０には、面表示機能がありしかも入力読み取り機能がある液晶タッチパネル（以下では液晶ディスプレイ又はディスプレイと言うこともある）７９，操作キー・マトリクス２７１，表示ＬＥＤ（発光ダイオード）２７２等がある。キー・マトリクス２７１には、省エネモード（休止モード又は低電力モード）からスタンバイモードに、またその逆への切換えを指示するための電源キーがある。省エネモードが設定されている時に電源キーが一回押されると、省エネモードからスタンバイモードに切換る。スタンバイモードであるときに電源キーが一回押されると、スタンバイモードから省エネモードに切換る。
【００８８】
図４に示す操作ボード２０の電気制御系の主体は、システムコントローラ１のＭＰＵ６１とコミュニケーションし、操作ボード２０の入力を読取り、ボード上の表示を制御するＣＰＵ２５３，このＣＰＵ２５３の制御プログラムが格納されているＲＯＭ２６５，制御時にデータの一時格納等を行うためのＲＡＭ２６６，ＬＣＤ２６０の描画データを格納するＶＲＡＭ２６８，このＶＲＡＭ２６８に接続されＬＣＤ２６０の描画タイミング制御等を行う液晶表示コントローラ（ＬＣＤＣ）２６７，時刻データを発生する時計ＩＣ  ２７３等がある。ＬＣＤＣ２６７には、ＣＦＬの光源をバックライト２７０として有するＬＣＤ２６０が接続される。ＣＰＵ２５３には更に、ＣＦＬバックライト２７０を駆動するインバータ２６９，キー・マトリクス２７１，表示ＬＥＤ２６１のＬＥＤマトリクス２７２およびそれらのＬＥＤを駆動するＬＥＤ駆動装置７３等が接続されている。
【００８９】
また、ＣＰＵ２５３が接続されたデータバスには、画像処理モード，状態情報および使用実績記憶用の不揮発性ＲＡＭ（ＮＶＲＡＭ）２６４が接続されている。
【００９０】
図５に示す様に、操作ボード２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「ＩＤ設定」機能，「著作権登録／設定」機能および「使用実績の出力」機能、の選択メニューが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００９１】
液晶タッチパネル７９には、各種機能キー及び画像形成装置の状態を示すメッセージなどが表示される。液晶ディスプレイ７９には、「コピー」機能，「スキャナ」機能，「プリント」機能，「ファクシミリ」機能，「予約」機能，「編集」機能，「登録」機能およびその他の機能の選択用および実行中を表わす機能選択キー８０ｇが表示される。機能選択キー８０ｇで指定された機能に定まった入出力画面が表示され、例えば「複写」機能が指定されているときには、図５に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００９２】
図６に、システムコントローラ１の画像処理制御の概要を示す。複写機に電源が投入されて、図示しない電源回路から動作電圧が印加されると（ステップ１）、システムコントローラ１は、電源オン応答の初期化処理（ステップ２）を実行して、操作ボード２０の液晶タッチパネル７９には、操作ボード２０のＣＰＵ２５３を介して、図５に示すような、デフォルト（標準）に設定された、コピーモードの入力待機画面を表示する（ステップ３）。
【００９３】
なお、以下においては、カッコ内にはステップという語を省略して、ステップ番号数字のみを記す。
【００９４】
また、システムコントローラ１は、操作ボード２０への入力の読取りおよび操作ボード２０の表示の切換えは、操作ボード２０のＣＰＵ２５３を介して行うが、以下においては、ＣＰＵ２５３を介して行うとの記述は省略する。
【００９５】
次にシステムコントローラ１は、機能選択キー８０ｇの「スキャナ」機能，「プリント」機能，「ファクシミリ」機能，「予約」機能，「編集」機能および「登録」機能の選択入力を読み取る「メニューキーイン読取」を行い、現在表示中の「コピー」機能とは異なる機能を指定するキーにユーザのタッチがあると、指定があった機能に割り付けられた入力画面を、液晶パネル７９に切換え表示する（４〜１５）。
【００９６】
「メニューキーイン読取」で、機能選択キー８０ｇへのタッチが無いと、図５に示す「コピー」機能の入力画面を表示している「コピー」モードでは、「複写モード読取」を行う。すなわち、液晶パネル７９に表示しているコピーモードの機能キー７９ａ，７９ｂならびにテンキー８０ａ，クリア／ストップキー８０ｂ，スタートキー８０ｃ，初期設定キー８０ｄ，モードクリアキー８０ｅ，テスト印刷キー８０ｆへのユーザのタッチ又はキー操作すなわちキーインを読み取り、キーインに応じて操作ボード２０の表示灯（ＬＥＤ）およびパネル７９の点灯／消灯および状態表示を切換え、コピーモードレジスタの、複写印刷条件を指定する複写印刷設定情報（印刷設定情報）を更新する（１６〜１９，・・・）。
【００９７】
複写モード読取で、「スタンプ印字」キーにタッチがあると、システムコントローラ１は、「印字モードの読込」（１７）を実行する。
【００９８】
図７の（ａ）に、「印字モードの読込」（１７）の内容を示す。ここではまず、液晶パネル７９に「スタンプ印字」入力画面をポップアップ表示する（３１）。「スタンプ印字」入力画面には、標準印字，機密管理印字およびマル秘印字の１つを選択するメニューと、印字情報選択メニューがあり、ユーザが選択した情報が、複写印刷条件（印刷設定情報）に付加される（３２）。標準印字は、コピー機，コピー機の所属部門，コピー指示者あるいは支持者が付加するコピー識別情報をコピーに付加するものであり、機密管理印字は、機密管理要の原稿をコピーする場合にコピーも同様に機密管理するための印字を付加するもの、また、マル秘印字は、マル秘原稿をコピーする場合にコピーも同様にマル秘にするための印字を付加するものである。なお、原稿にこれらの印字が無くても、ユーザの意思により「スタンプ印字」を設定できる。このスタンプ印字設定機能は、「コピー」機能に限らず、「スキャナ」機能，「プリント」機能，「ファクシミリ」機能，「予約」機能，「編集」機能および「登録」機能の何れにも存在する。
【００９９】
複写モード読取で、「パスワード管理」キーにタッチがあると、システムコントローラ１は、「パスワードの読込」（１９）を実行する。
【０１００】
図７の（ｂ）に、「パスワードの読込」（１９）の内容を示す。ここではまず、液晶パネル７９に「パスワード管理」入力画面を切換え表示する（４１）。「パスワード管理」入力画面は、アルファベットおよび仮名入力キーボードと入力表示窓を表示するものであり、ユーザが、表示されたキーボードおよびテンキー８０ａを用いて所定桁数のコードを入力し実行キーにタッチすると、入力したコードが、システムコントローラ１によって、複写印刷条件（印刷設定情報）に付加される。入力コードが、機密管理コードである場合には、上述の機密管理印字を指定する情報が自動的に複写印刷条件に付加される。入力コードが、マル秘管理コードである場合には、上述のマル秘管理印字を指定する情報が自動的に複写印刷条件に付加される。入力コードが、機密管理コードおよびマル秘管理コードの何れでもないと、これはユーザが任意に用いる付加パスワード（識別情報）として取り扱われ、これは、対象の画像をＭＥＭ又はＨＤＤに蓄積又は登録した後の、秘匿管理に用いるため、複写印刷条件に付加される（４２）。このパスワード設定機能は、「コピー」機能に限らず、「スキャナ」機能，「プリント」機能，「ファクシミリ」機能，「予約」機能，「編集」機能および「登録」機能の何れにも存在する。
【０１０１】
複写モード読取で、「ドキュメント管理」キーにタッチがあると、システムコントローラ１は、液晶パネル７９に「ドキュメント管理」入力画面を切換え表示する。「ドキュメント管理」入力画面は、アルファベットおよび仮名入力キーボードと、文書名（文書ＩＤ）入力表示窓およびユーザ名（ユーザＩＤ）入力表示窓を表示するものであり、ユーザが、文書名入力表示窓を指定して、表示されたキーボードおよびテンキー８０ａを用いて所定桁数のコードを入力し実行キーにタッチすると、入力したコードが、システムコントローラ１によって、複写印刷管理情報（印刷管理情報）の文書名に登録される。ユーザが、ユーザ名入力表示窓を指定して、表示されたキーボードおよびテンキー８０ａを用いて所定桁数のコードを入力し実行キーにタッチすると、入力したコードが、システムコントローラ１によって、複写印刷管理情報（印刷管理情報）のユーザ名に登録される。この管理情報設定機能は、「コピー」機能に限らず、「スキャナ」機能，「プリント」機能，「ファクシミリ」機能，「予約」機能，「編集」機能および「登録」機能の何れにも存在する。
【０１０２】
スタートキー８０ｃの操作（スタート指示）があると、システムコントローラ１は、複写印刷条件（印刷設定情報）および複写印刷管理情報（印刷管理情報）をプロセスコントローラ１３１に与えて、複写を指示する（２０，２１）。これに応答してプロセスコントローラ１３１が複写を開始し、システムコントローラ１は、プロセスコントローラ１３１が複写印刷ジョブ終了を報知してくるまで、スタートキー８０ｃの緑色の照明を、指示を受け入れない赤色の照明に切換える。複写印刷ジョブ終了の報知があるとシステムコントローラ１は、スタートキー８０ｃの赤色の照明を、指示を受け入れる緑色の照明に切換える。
【０１０３】
スタートキー８０ｃを赤色に照明している複写動作中で、次の複写指示は受け入れない状態でも、システムコントローラ１は、機能選択キー８０ｇの中の「プリント」機能キー，「予約」機能キーおよび「ファクシミリ」機能キーに対するユーザのタッチすなわち「予約」機能選択には応答し、しかも、ＰＣからの「予約」コマンド，「登録コマンド」ならびにＦＣＵからの「ファクシミリ受信蓄積」には応答する。また、「プリント」機能によるＨＤＤに蓄積又は登録している画像データのプリントアウト又はＰＣの印刷コマンドに応答するプリントアウトもしくはファクシミリ受信出力であるプリントアウトの最中でも、システムコントローラ１は、機能選択キー８０ｇの中の「コピー」機能キー，「プリント」機能キー，「予約」機能キーおよび「ファクシミリ」機能キーに対するユーザのタッチすなわち「予約」機能選択には応答し、しかも、ＰＣからの「予約」コマンド，「登録コマンド」ならびにＦＣＵからの「ファクシミリ受信蓄積」には応答する。
【０１０４】
複写モードの入力画面を表示しているときに「予約」機能キーにタッチがあると、システムコントローラ１は、予約入力画面を表示する（図６の１０，１１）。
【０１０５】
図８および図９に、「予約入力画面を表示」（１１）の内容および液晶パネル７９上の予約入力画面を示す。「予約入力画面を表示」（１１）に進むとシステムコントローラ１は、液晶パネル７９に表示していたコピー入力画面をＲＡＭ２６６にセーブ（記憶）し（５０）、ＮＶＲＡＭ２６４に登録しているコピー予約入力画面８０ｈ（ただし、最初は標準モードの設定）を表示する（５１）。この画面を表示しているとき、機能キー８０ｇは、図９に示すように、「コピー予約」キー，「プリント予約」キー，「ファクシミリ（受信蓄積のプリントアウト）予約」キー，「一覧」キーおよび元画面（セーブしたコピー入力画面）への「戻る」キーに変わる。予約者は、予約のジョブ内容を、デフォルトの「コピー」から、「プリント」、「ファクシミリ（プリント）」に切り替えることができる。すなわち、ユーザが「プリント予約」キーにタッチすると、システムコントローラ１は、予約入力画面上のコピー入力画面領域を、プリント入力画面に切換える（５２，５３）。「ファクシミリ予約」キーにタッチがあったときにはファクシミリ受信画像のプリント入力画面に切換える（５４，５５）。
【０１０６】
予約者が、予約入力画面上のコピー入力画面８０ｈ，プリント入力画面又はファクシミリプリント入力画面に印刷条件を入力してスタートキー８０ｃを操作すると、システムコントローラ１は、予約登録および予約リストの更新を行う。予約ジョブがコピーの場合には、スタートキー８０ｃの操作があると、通常のコピー入力の場合と同様に、ユーザが入力した複写印刷条件（印刷設定情報）および複写印刷管理情報（印刷管理情報）すなわちジョブ管理情報を予約情報レジスタに書き込んで、スキャナ１０およびＡＤＦ３０による原稿画像読取をして、読み取り画像データにはＩＰＰで読み取り補正を加えて、そのヘッダ情報に予約情報レジスタのジョブ管理情報を加えて、ＨＤＤに蓄積する（６３，６４）。更に、予約リストの最後の予約ジョブの次に、今回の印刷ジョブを加える（６５）。すなわち予約リストへの登録順は、入力があった順番である。予約リストに集約して載せる情報は、図１５に示すように、文書名，ユーザ名，ページ数（原稿ページ数×部数）および印刷時刻（開始予定時刻）である。原稿画像読取で認識した原稿枚数とユーザ入力によるカラー設定，印刷部数，用紙サイズおよび給排紙指定トレイに基づいて印刷所要時間を算出して、これは非表示情報ではあるが、付帯情報として予約リストに加え、そして印刷時刻（印刷開始予定時刻）を算出する。各予約Ｎｏ．ｉの印刷開始予定時刻は、その直前の順番の予約Ｎｏ．ｉ−１の印刷ジョブ終了時刻である。該予約Ｎｏ．ｉ−１の印刷ジョブ終了時刻は、その前の順番の予約Ｎｏ．ｉ−２の印刷ジョブ終了時刻に、予約Ｎｏ．ｉ−１の印刷所要時間を加えた時刻である。
【０１０７】
図９に示す機能キー８０ｇの中の「戻る」キー８３にタッチがあるとシステムコントローラ１は、ステップ５０でＲＡＭ２６６にセーブしたコピー入力画面を、液晶パネル７９に切換え表示する（図８の５８，６６）。
【０１０８】
図９に示す機能キー８０ｇの中の「一覧」キー８２にタッチがあるとシステムコントローラ１は、一覧（予約リスト）画面を液晶パネル７９に表示する（図８の５６，５７）。図１０および図１１に、「一覧画面を表示」（５７）の内容を示し、一覧画面の一例を図１５に示す。図１５に示す一覧画面８０ｉは、現在は「会議書類」を印刷中であるが、その終了を待って実行しなければならない予約１〜３の印刷ジョブがあることを示している。この場合予約１〜３の印刷ジョブは何れも、それらのジョブ管理情報（印刷設定情報＋印刷管理情報）に、秘匿指定情報（付加パスワード，機密管理印字指定，マル秘印字指定又は機密ユーザコード）が存在しないものである。
【０１０９】
仮に、予約１の印刷ジョブのジョブ管理情報に秘匿指定情報があると、一覧画面８０ｉは図１６に示すものとなり、予約１の印刷ジョブの管理情報（文書名，ユーザ名）ならびに頁数および印刷時刻には、秘匿マスク８４ｍによる塗潰しが掛かったものとなり、そこの情報を読み取ることはできない。しかし予約１の欄表示（秘匿マスク８４ｍ）はあるので、そこに予約印刷ジョブがあることは分かる。
【０１１０】
図１０および図１１を参照する。「一覧画面を表示」（５７）に進むとシステムコントローラ１は、予約入力画面（図９）をＲＡＭ２６６にセーブして（７０）、まず、予約情報を含まない一覧画面（リスト画面（空白））を液晶パネル７９に表示する（７１）。次に予約リストを参照して、未消化の予約印刷ジョブがあるかを検索して（７２）、予約印刷ジョブがないと、一覧画面上の「閉じる」キー８７にタッチがあるのを待って、タッチがあるとステップ７０でＲＡＭ２６６にセーブした予約入力画面を、液晶パネル７９に切換え表示する（７２−図１１の９６−９７）。
【０１１１】
未消化の予約印刷ジョブがあった場合には、予約リスト上の第１番の予約印刷ジョブをプロセスコントローラ１３１が実行中であると、そのジョブ管理情報の中に秘匿指定情報（付加パスワード，機密管理印字指定，マル秘印字指定又は機密ユーザコード）があるか検索して、それが無いと、そのジョブの文書名，ユーザ名，頁数および印刷時刻を、一覧画面８０ｉ（図１５或いは図１６）上の印刷中ジョブ表示欄に、「印刷中」と表記して表示する（７３，７４，７６）。秘匿指定情報があると、そのジョブの管理情報（文書名，ユーザ名）ならびに頁数および印刷時刻の欄に秘匿マーク８４ｍを表示する（７４，７５）。第１番の予約印刷ジョブが印刷中では無いと、その情報を、予約１として、予約待機表示領域の第１行（図１５の８４）に表示する（７３−７８−７９〜８２）。
【０１１２】
第２番以降の予約印刷ジョブも、上述と同様に、第１番の予約印刷ジョブに続けるように、予約待機表示領域に順次に表記する（８０〜８５）。予約待機表示領域には最大で５個の予約印刷ジョブしか表記できない。そこで５個の予約印刷ジョブの表示処理を行う。５個の予約印刷ジョブの後の予約印刷ジョブの有無をチェックするときには、ユーザは「次へ」キー８６にタッチする。システムコントローラ１は、一回のタッチごとに一行分予約印刷ジョブの表示を進める（８８，８９）。戻して確認したい場合には、ユーザは「前へ」キー８６にタッチする。システムコントローラ１は、一回のタッチごとに一行分予約印刷ジョブの表示を戻す（８６，８７）。
【０１１３】
一覧画面８０ｉ上の予約待機表示領域の第１行には、指定枠８４が付されており、この指定枠８４内の表示が、「秘匿欄表示」キー９５，「詳細表示」キー８６および「内容変更」キー８９を利用する、予約印刷ジョブ確認処理等の対象である。秘匿指定情報がある印刷ジョブを予約したユーザが、それが予約リストの何番目にあって何時印刷が開始されるか知りたい場合、秘匿指定情報の有無にかかわらず、それを予約したユーザがどの画像（書画）の印刷を予約したか確認したい場合、また、秘匿指定情報の有無にかかわらず、それを予約したユーザが印刷条件を変更したい場合には、「次へ」キー８６および「前へ」キー８６にタッチして対象と思われる予約印刷ジョブを指定枠８４内に表示してから、キー９５，８６又は８９にタッチすればよい。
【０１１４】
ユーザが「秘匿欄表示」キー９５にタッチすると、システムコントローラ１は、「秘匿欄表示」（９１）に進む（９０−９１）。ユーザが「詳細確認」キー８８にタッチすると、システムコントローラ１は、「詳細表示」（９３）に進む（９２−９３）。ユーザが「内容変更」キー８９にタッチすると、システムコントローラ１は、「内容変更表示」（９３）に進む（９２−９３）。ユーザが「閉じる」キー８７にタッチすると、システムコントローラ１は、ステップ７０でＲＡＭ２６６にセーブした予約入力画面を、液晶パネル７９に切換え表示する（９７）。
【０１１５】
図１２に、「秘匿欄表示」（９１）の内容を示す。これに進むとシステムコントローラ１は、指定枠８４内に表示している予約印刷ジョブのジョブ管理情報に秘匿指定情報があるかを検索し（１０１）、それが無いと既に該ジョブの管理情報を指定枠８４内に表示しているので、「秘匿欄表示」（９１）を終了し、「秘匿欄表示」（９１）に進む直前の処理状態に復帰する。しかし、秘匿指定情報があった場合には、図１７に示すパスワード入力画面８０ｊを液晶パネル７９にポップアップ表示して（１０２）、パスワード入力があるのを待つ（１０３）。
【０１１６】
入力があったパスワードが秘密指定情報（付加パスワード，機密管理印字指定，マル秘印字指定又は機密ユーザコード）と合致すると、システムコントローラ１は、指定枠８４内に表示している秘匿マーク８４ｍを消去して、該当の印刷ジョブの文書名，ユーザ名，頁数および印刷時刻を、指定枠８４内に表記する（１０６）。そして、時限値がＴｈのタイマＴｈをスタートして（１０７）、タイマＴｈがタイムオーバする（時限値の計時を完了する）のを待つ（１０９）。待っている間に、もう一度「秘匿欄表示」キー９５にタッチがあると、これは「秘匿欄表示」の解除指示と見なして、指定枠８４内に秘匿マーク８４ｍを表示する（１０８ａ−１０８ａ）。キー９５にタッチが無く、タイマＴｈがタイムオーバすると、指定枠８４内に秘匿マーク８４ｍを表示する（１０９−１０８ａ）。パスワード入力が無く、「取消」キー９２にタッチがあったときには、パスワード入力画面を消去して一覧画面の表示に戻る（１０４−図１１の８６）。
【０１１７】
図１３に、「詳細表示」（９３）の内容を示す。これに進むとシステムコントローラ１は、現在表示中の一覧画面（図１５／図１６）をＲＡＭ２６６にセーブし（１１０）、指定枠８４内に表示していた予約印刷ジョブのジョブ管理情報に秘匿指定情報があるかを検索し（１１１）、それが無いと該印刷ジョブの印刷対象画像の、最先頭頁の先頭部の画像部分を、液晶パネル７９に設定した詳細画像表示領域８０ｋに表示する（１１１−１１６）。この表示の一例を図１８に示す。秘匿指定情報があった場合には、図１７に示すパスワード入力画面８０ｊを液晶パネル７９にポップアップ表示して（１１２）、パスワード入力があるのを待つ（１１３）。
【０１１８】
入力があったパスワードが、秘密指定情報（付加パスワード，機密管理印字指定，マル秘印字指定又は機密ユーザコード）と合致すると、システムコントローラ１は、指定枠８４内に表示していた印刷ジョブの印刷対象画像の、最先頭頁の先頭部の画像部分を、液晶パネル７９に設定した詳細画像表示領域８０ｋに表示する（１１５，１１６）。そして、時限値がＴｈのタイマＴｈをスタートして（１１７）、タイマＴｈがタイムオーバするのを待つ（１２１）。待っている間に、「内容変更」キー８９にタッチがあると、「内容変更表示」（１１９）に進む。この「内容変更表示」（１１９）の内容は、次に説明する「内容変更表示」（９５）と同様である。待っている間に、「リセット」キー９３にタッチがあると、ＲＡＭ２６６にセーブしていた一覧表示画面を、液晶パネル７９に切換え表示する（１２０−１２２）。これらのタッチが無く、タイマＴｈがタイムオーバすると、ＲＡＭ２６６にセーブしていた一覧表示画面を、液晶パネル７９に切換え表示する（１２１−１２２）。パスワード入力が無く、「取消」キー９２にタッチがあったときには、パスワード入力画面を消去して一覧画面の表示に戻る（１１４−１２２）。
【０１１９】
図１４に、「内容変更表示」（９５）の内容を示す。これに進むとシステムコントローラ１は、現在表示中の一覧画面をＲＡＭ２６６にセーブし（１３０）、指定枠８４内に表示していた予約印刷ジョブのジョブ管理情報に秘匿指定情報があるかを検索し（１３１）、それが無いと該印刷ジョブの印刷設定情報を印刷条件入力画面８０ｈの形態で、液晶パネル７９に表示する（１３１−１３６）。図１９には、予約印刷ジョブが、「コピー」モードで設定されていたときの印刷条件入力画面８０ｈを示す。これは、指定枠８４内に表示していた予約印刷ジョブを設定した時の予約コピー入力画面８０ｈ（図９）を表示するものである。ただし、図９に示す機能キー８０ｇの表示領域には、図１９に示すように、別の機能キーが表示される。
【０１２０】
秘匿指定情報があった場合には、図１７に示すパスワード入力画面８０ｊを液晶パネル７９にポップアップ表示して（１３２）、パスワード入力があるのを待つ（１３３）。
【０１２１】
入力があったパスワードが、秘密指定情報（付加パスワード，機密管理印字指定，マル秘印字指定又は機密ユーザコード）と合致すると、システムコントローラ１は、指定枠８４内に表示していた予約印刷ジョブの印刷設定情報を印刷条件入力画面８０ｈの形態で、液晶パネル７９に表示する（１３５，１３６）。そして、時限値がＴｈのタイマＴｈをスタートして（１３７）、タイマＴｈがタイムオーバするのを待つ（１４９）。待っている間に、印刷条件入力画面８０ｈに対して印刷条件の変更となる入力があると、変更内容を変更情報レジスタにセーブ（記憶）して、タイマＴｈを再スタートする（１３８〜１４０）。すなわち今までの計時はキャンセルして、新たにＴｈ時限の計時を開始する。「実行」キー９４にタッチがあると、変更情報レジスタにセーブした変更内容に指定枠８４内に表示していた予約印刷ジョブの印刷設定情報を変更して（１４１，１４２）、液晶パネル７９の表示を、ＲＡＭ２６６にセーブした一覧画面に戻す。このとき、秘密指定情報がなくなっていると、管理情報を指定枠８４内に表示し、秘匿指定情報が加わっていると、秘匿マーク８４ｍを表示する。
【０１２２】
「予約取消」キー９６にタッチがあると、ＨＤＤおよび予約リスト上の予約印刷ジョブを抹消し、図６のステップ３のコピー入力画面の表示に戻る（１４３〜１４５）。ただし、これは、ステップ１３１〜１３５のパスワード照合の結果が適であった場合と、この照合をおこなっていない場合には、ユーザが「パスワード管理」キーにタッチして、登録されている消去許可パスワードを入力した場合に限定されている。
【０１２３】
「詳細確認」キー８８にタッチがあると、「詳細確認表示」（１４７）に進む。この「詳細確認表示」（１４７）の内容は、前述の「詳細表示」（９３）と同様である。「リセット」キー９３にタッチがあると、ＲＡＭ２６６にセーブしていた一覧表示画面を、液晶パネル７９に切換え表示する（１４８−１５０）。これらのタッチが無く、タイマＴｈがタイムオーバすると、ＲＡＭ２６６にセーブしていた一覧表示画面を、液晶パネル７９に切換え表示する（１４９−１５０）。パスワード入力が無く、「取消」キー９２にタッチがあったときには、パスワード入力画面を消去して一覧画面の表示に戻る（１３４−１５０）。
【０１２４】
以上では、コピーモードでの印刷ジョブ予約を主に説明したが、ＨＤＤに登録又は蓄積している画像を指定してプリントアウトするプリントモード、および、ファクシミリ受信画像をＨＤＤに蓄積して、ユーザの指示に従ってプリントアウトするファクシミリモード、の何れにも、上述の印刷ジョブ予約機能および一覧表示機能（図８，図１０〜図１４）が同様に設定されている。
【０１２５】
液晶パネル７９に図５に示すコピー入力画面を表示しているときに、機能キー８ｇの中の「プリント」キーにユーザのタッチがあると、システムコントローラ１は、液晶パネル７９にプリント入力画面を表示するが、プリント入力画面にも、図５に示す機能キー８０ｇが同じく表示され、各機能への切換えを指示できる。ここで予約キー８１にユーザがタッチすると、システムコントローラ１は、液晶パネル７９に、プリントモードの予約入力画面を表示する。この予約入力画面は、図９に示すコピーモードの予約入力画面のコピー条件設定画面８０ｈを、プリント条件設定画面に変えたものである。プリントモードの予約入力画面では、ユーザは、ＨＤＤに蓄積又は登録している画像の登録名称（文書名）を入力する。その他の予約作業および予約データ処理、ならびに、一覧表示の内容は、上述のコピーモードの場合と同様である。ＨＤＤにファクシミリ受信画像を蓄積しているときの、ファクシミリモードの予約作業および予約データ処理、ならびに、一覧表示の内容は、上述のプリントモードの場合と同様である。
【０１２６】
また、ＰＣから印刷コマンドをシステムコントローラ１に与えてＰＣの書画をプリントアウトするプリントモード（ＰＣ出力モード）にも、上述の印刷ジョブ予約機能および一覧表示機能（図８，図１０〜図１４）が同様に設定されている。ＰＣには、これらの機能を実行するに必要な操作ボード２０の入出力機能と同様な予約入出力機能、ならびに、システムコントローラ１に画像入出力（ＰＣへのスキャナ画像読込，ＰＣの書画プリントアウト）を指示する機能を実現するアプリケーションプログラムがインストールされており、ＰＣのユーザは、図１に示す複合機能複写機の操作ボード２０の操作と同様な入力操作でＰＣにコマンドを入力して複合機能複写機（スキャナ１０，画像データ処理装置ＡＣＰおよびプリンタ１００）を使用することができる。
【０１２７】
ＰＣが、それが保持する書画データを画像データ処理装置ＡＣＰに送ってプリントアウトを指示するプリントモード（ＰＣ出力モード）では、ＰＣが書画データをＡＣＰに送り、ＡＣＰがＨＤＤに登録する。その他の、この予約印刷ジョブに関する予約作業および予約データ処理、ならびに、一覧表示の内容は、上述のプリントモードの場合と同様である。
【０１２８】
再度図６を参照する。プリンタ１００が１つの予約印刷ジョブを消化（終了）すると、プロセスコントローラ１３１がシステムコントローラ１にレディを報知する。これに応答してシステムコントローラ１は、今回終了した予約印刷ジョブを予約リストから消去する。すなわち、予約リストの予約順番の第１番の内容（予約ジョブ情報）をクリアする。そして第２番以降の予約印刷ジョブを一順位繰り上げる（２２，２３）。次にシステムコントローラ１は、予約リストの第１番順位に予約ジョブ情報があると、その印刷設定情報および管理情報をプロセスコントローラ１３１に与えて、プリントアウトを指示する（２４，２５）。プリンタ１００（プロセスコントローラ１３１）がプリント作業（作像）をしているときは、システムコントローラ１は液晶パネル７９に入力画面を表示して（３）、メニューキーイン読み取り（４〜１５）を行い、かつ、ＰＣおよびＦＣＵからのコマンドに応答する。
【０１２９】
なお、上記実施例ではパスワードを入力することで、ユーザが機密印刷ジョブの予約者本人であることを証明したが、本人であることを証明できるのであればキーカードでも指紋照合でも他の方法でも同等である。
【０１３０】
【発明の効果】
表示非とした予約印刷ジョブでも、その予約者は個別にその内容を再確認して、予約順番のどのあたりになるかを再確認したり、必要に応じて印刷設定情報を変更するとか予約を取消すなどの変更を行うことができる。予約印刷ジョブの秘匿、および、秘匿した予約印刷ジョブの確認、が容易になる。
【図面の簡単な説明】
【図１】本発明の一実施例の複合機能がある複写機の外観を示す正面図である。
【図２】図１に示すプリンタ１００の作像機構の概要を示す拡大縦断面図である。
【図３】図１に示す複写機の画像処理システムの概要を示すブロック図である。
【図４】図３に示す操作ボード２０の電気要素を示すブロック図である。
【図５】図３に示すシステムコントローラ１の、コピーモードでの制御動作の概要を示すフローチャートである。
【図６】図３に示すシステムコントローラ１の、操作ボード２０の入力画面切換え制御と、プリンタ１００への印刷ジョブ指示制御の概要を示すフローチャートである。
【図７】（ａ）は図６に示す「印字モードの読込」（１７）の概要を示すフローチャート、（ｂ）は図６に示す「パスワードの読込」（１９）の概要を示すフローチャートである。
【図８】図６に示す「予約入力画面を表示」（１１）の内容を示すフローチャートである。
【図９】図３に示す操作ボード２０の液晶パネル７９上の、コピーモードの予約入力画面を示す平面図である。
【図１０】図８に示す「一覧画面を表示」（５７）の内容の一部を示すフローチャートである。
【図１１】図８に示す「一覧画面を表示」（５７）の内容の残部を示すフローチャートである。
【図１２】図１１に示す「秘匿欄表示」（９１）の内容を示すフローチャートである。
【図１３】図１１に示す「詳細表示」（９３）の内容を示すフローチャートである。
【図１４】図１１に示す「内容変更表示」（９５）の内容を示すフローチャートである。
【図１５】図１０に示す「一覧画面を表示」（５７）で液晶パネル７９に表示する一覧画面の一例の平面図である。
【図１６】図１０に示す「一覧画面を表示」（５７）で液晶パネル７９に表示する一覧画面のもう１つの例の平面図である。
【図１７】一覧画面に対するユーザ入力に応答して表示されるパスワード入力画面８０ｊの平面図である。
【図１８】一覧画面の「詳細確認」キー８９にユーザがタッチした時に表示される詳細画像領域８０ｋの平面図である。
【図１９】一覧画面の「内容変更」キー８８にユーザがタッチした時に表示される変更入力画面８０ｈの平面図である。
【符号の説明】
１０：カラー原稿スキャナ  ２０：操作ボード
３０：自動原稿供給装置    ３４：フィニッシャ
３４ｈｓ：積載降下トレイ  ３４ｕｄ：昇降台
３４ｓｔ：ソートトレイ群
４１Ｍ，４１Ｃ，４１Ｙ，４１Ｋ：レーザ発光器
１００：カラープリンタ    ＰＣ：パソコン
ＰＢＸ：交換器            ＰＮ：通信回線
１０２：光書込みユニット  １０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト    ＡＣＰ：画像データ処理装置
ＣＤＩＣ：画像データインターフェース制御
ＩＭＡＣ：画像メモリアクセス制御
ＩＰＰ：画像データ処理器  ＨＤＤ：ハードディスク装置
【図１】
2004202846.tif 000003
【図２】
2004202846.tif 000004
【図３】
2004202846.tif 000005
【図４】
2004202846.tif 000006
【図５】
2004202846.tif 000007
【図６】
2004202846.tif 000008
【図７】
2004202846.tif 000009
【図８】
2004202846.tif 000010
【図９】
2004202846.tif 000011
【図１０】
2004202846.tif 000012
【図１１】
2004202846.tif 000013
【図１２】
2004202846.tif 000014
【図１３】
2004202846.tif 000015
【図１４】
2004202846.tif 000016
【図１５】
2004202846.tif 000017
【図１６】
2004202846.tif 000018
【図１７】
2004202846.tif 000019
【図１８】
2004202846.tif 000020
【図１９】
2004202846.tif 000021